(57)【要約】【課題】  各種の遊技機に設置された少なくとも１以上のの不正検出装置に接続され、不正検出装置が出力する不正信号を不正入力として受信し、不正出力を出力、表示することが可能な信号処理装置を提供する。【解決手段】  マルチボックス１７は、ケーブル２１を介して基板１１と、ケーブル３１を介して扉センサ２３と、ケーブル３５を介して電波センサ２５と、ケーブル３３を介して振動センサ２５、さらにケーブル３７を介してワイヤロック切断センサ２８と接続される。マルチボックス１７は、扉センサ２３、電波センサ２５、振動センサ２７、ワイヤロック切断センサ２８といった異なる不正検出装置から出力された各不正信号を受信し、不正がどの装置で検出されたか等の不正検出情報を表示部５３に表示し、表示装置２やセンターコンピュータ４５に対して不正出力を出力する。マルチボックス１７の入力や出力等に関する設定はリモコン１９の操作によって行われる。【選択図】  図２
2006020931.tif 000002
【特許請求の範囲】
【請求項１】
遊技機に用いられる信号処理装置であって、
前記遊技機に設置された、少なくとも１以上の不正検出装置からの不正検出信号を入力として受け付ける入力受付手段と、
前記不正入力を、不正出力として出力する出力手段と、
前記不正入力及び前記不正出力に関する表示を行う表示手段と、
前記入力受付手段と前記出力手段との設定を行う設定を受け付ける設定受付手段と、
を具備することを特徴とする信号処理装置。
【請求項２】
前記入力受付手段は、少なくとも１以上の入力端子を有し、
前記設定受付手段は、前記少なくとも１以上の入力端子のうち、どの入力端子で不正検出信号を受け付けるかの設定を受け付けることを特徴とする請求項１記載の信号処理装置。
【請求項３】
前記設定受付手段は、前記不正検出信号を受け付ける場合、ノーマルオープン接続で受け付けるか、ノーマルクローズ接続で受け付けるかの設定を受け付けることを特徴とする請求項１記載の信号処理装置。
【請求項４】
前記出力手段は、少なくとも１以上の出力端子を有し、
前記設定受付手段は、前記不正出力を出力させる出力端子の割り当て、組み合わせ、出力内容、出力方法等の設定を受け付けることを特徴とする請求項１記載の信号処理装置。
【請求項５】
前記設定受付手段は、リモコンから入力された設定値を受け付けることを特徴とする請求項１記載の信号処理装置。
【請求項６】
前記表示手段は、前記少なくとも１以上の不正検出装置のうち、どの不正検出装置から不正検出信号が入力されたかを表示することを特徴とする請求項１記載の信号処理装置。
【請求項７】
前記表示手段は、前記設定値を表示することを特徴とする請求項５記載の信号処理装置。
【請求項８】
前記遊技機はパチンコ遊技機であることを特徴とする請求項１記載の信号処理装置。
【請求項９】
前記遊技機はスロットマシン機であることを特徴とする請求項１記載の信号処理装置。
【請求項１０】
前記不正検出装置は、扉開閉センサ、電波センサ、磁気センサ、体感機センサ、ワイヤロック切断センサ、振動センサ等であることを特徴とする請求項１記載の信号処理装置。
【発明の詳細な説明】
【技術分野】
【０００１】
本発明は、パチスロ機、スロットマシン機等の遊技機に対する不正行為を検出する不正検出装置に接続され、遊技機に対して不正行為が行われた際に検出装置から出力される不正信号の入力を受け付け、不正があったことを出力し、表示する信号処理装置に関する。
【背景技術】
【０００２】
パチンコ遊技機やスロットマシン機等が設置された遊技場において、遊技者の中には、パチンコ遊技機やスロットマシン機に何らかの細工を施し、出玉やコイン等を不正に得る者がいる。不正行為としては、パチンコ遊技機やスロットマシン機等に磁石や電波を用いて、玉の進路や、ロータの回転を制御したり、コイン払い出し器等の動作を操作する行為等がある。
【０００３】
そこで、パチンコ遊技機やスロットマシン機等には、不正行為を検出するセンサ等の不正検出装置が設置され、それらの検出装置によって不正行為が検出された場合、不正行為のあったことを表示器に表示したり、各遊技機を管理する上位のコンピュータとなるセンターコンピュータに不正行為のあったことを知らせる管理システムが管理システム等が開発されている（特許文献１参照）。
【特許文献１】特開２００１−１２０７２２号公報
【発明の開示】
【発明が解決しようとする課題】
【０００４】
しかしながら、近年、遊技機に対する不正行為は複雑かつ多様化しており、複数の不正検出装置が遊技機に設置され、不正検出装置の機種により、またはメーカにより、不正検出を伝達する信号の種類が異なり、不正検出装置と、表示装置やセンターコンピュータとを単純に接続して不正を出力あるいは表示することが困難となるため、信号の種類によらず不正入力を受け付けられるようなインターフェースの必要性が出てきた。
【０００５】
本発明は、このような問題を鑑みてなされたもので、その目的は、少なくとも１以上の不正検出装置に接続され、不正検出装置が出力する不正信号の種類によらずそれらの不正信号を受け付け、遊技機に対して不正行為があったことを出力し、表示することが可能な信号処理装置を提供することである。
【課題を解決するための手段】
【０００６】
前述する課題を解決するための本発明は、遊技機に用いられる信号処理装置であって、前記遊技機に設置された、少なくとも１以上の不正検出装置からの不正検出信号を入力として受け付ける入力受付手段と、前記不正入力を、不正出力として出力する出力手段と、前記不正入力及び前記不正出力に関する表示を行う表示手段と、前記入力受付手段と前記出力手段との設定を行う設定を受け付ける設定受付手段と、を具備することを特徴とする信号処理装置である。
【０００７】
本発明の信号処理装置は、少なくとも１以上の不正検出装置に接続され、各不正検出装置が出力する不正検出信号を受け付けて、不正信号を出力し、不正がどの場所で検知されたか等の表示を行う。
【０００８】
ここで、入力受付手段は、少なくとも１つ以上の入力端子を有し、設定受付手段は、前記少なくとも１以上の入力端子のうち、どの入力端子で不正検出信号を受け付けるかの設定を受け付ける。また、設定受付手段は、不正検出信号を受け付ける場合、ノーマルオープン接続で受け付けるか、ノーマルクローズ接続で受け付けるかの設定を受け付ける。
【０００９】
また、出力手段は、少なくとも１以上の出力端子を有し、設定受付手段は、不正出力を出力させる出力端子の割り当て、組み合わせ、出力内容、出力方法等の設定を受け付ける。
【００１０】
前記設定受付手段は、リモコンから入力された設定値を受け付ける。これらの設定値やどこで不正行為が行われたかといった不正に関する情報は、信号処理装置に設けられた表示部に表示される。
また、ここでいう遊技機はパチンコ遊技機やスロットマシン機である。また、不正検出装置は、扉開閉センサ、電波センサ、磁気センサ、体感機センサ、ワイヤーロック切断センサ、振動センサ等である。
また、最近では、遊技機が不正行為を感知し、不正信号を出力するものもある。
【発明の効果】
【００１１】
本発明の信号処理装置は、遊技機に設置された少なくとも１以上の不正検出装置に接続され、不正検出装置の機種によらず、それらが出力する不正信号の入力を受け付け、出力、表示させることが可能となる。
【発明を実施するための最良の形態】
【００１２】
以下、図面に基づいて本発明の形態を詳細に説明する。本実施の形態では、本発明の信号処理装置をマルチボックスと呼ぶものとする。図１は、本発明の実施の形態にかかるスロットマシン機３の構成を示す斜視図、図２は、マルチボックス１７と各種センサとの関係を示す図である。
【００１３】
尚、本実施の形態では、遊技機としてスロットマシン機３を例に説明するが、本実施の形態に係るマルチボックス１７は、パチンコ等の他の遊技機にも適用可能である。スロットマシン機３は、複数個（例えば３個）のロータ９を回転させ、ロータ９が停止した時に表示される絵柄の組み合わせによって当選/落選を決定し、当選役に相当する個数のメダル、コイン等を遊技者に排出する装置である。
【００１４】
図１に示すように、スロットマシン機３の前面には、開閉することが可能な扉５が設けられ、扉５の上部には表示および電飾、呼び出し機能等を持つ表示装置２が設けられている。扉５の開いたスロットマシン機３の内部には、ロータ９、基板１１、コインホッパ１３、排出部１４、およびマルチボックス１７等が設けられる。ロータ９は3個の回転するロータであり、表面に絵柄が表示されている。
【００１５】
3個のロータ９はそれぞれ別に回転し、回転が停止した時の絵柄の組み合わせによって払い出されるメダル等の個数が決定される。扉５には窓７が設けられ、遊技者は扉５に設けられた窓７を通してロータ９の表示等を確認する。
【００１６】
ロータ９の上部には、基板１１が設置されている。基板１１は、CPU、メモリ等の電子回路で構成され、ロータ９の回転制御や、メダルの投入個数の管理、メダル排出個数の算出等を行う。メダル排出個数が算出されると、その算出個数のメダルがコインホッパ１３からメダル排出口１５に排出される。
【００１７】
スロットマシン機３の上方部分に取り付けられた表示装置２は、電飾ランプ、発光ダイオードや液晶パネル等による表示部、それらの電飾ランプ、表示装置の制御部で構成される。表示装置２は、マルチボックス１７にから出力される信号を受信して表示する。この表示装置２は、単独でスロットマシン機３に取り付けたり、取り替えたりすることが可能である。
【００１８】
マルチボックス１７はスロットマシン機３の近傍に設置できる小型の信号処理装置である。マルチボックス１７は、基板１１、扉センサ２３、電波センサ２５、振動センサ２７、ワイヤロック切断センサ２８から出力される信号を受信する。扉センサ２３は、スロットマシン機３の扉５の開閉を感知するものであり、不要不正な開閉を検出する不正検出装置である。
【００１９】
電波センサ２５は扉５に設置され、遊技者による電波を用いた不正行為を検出するための不正検出装置である。振動センサ２７は扉５に設置され、遊技者による不正行為によって発生した過度の振動等を検知し、不正行為を検出するための不正検出装置である。
【００２０】
ワイヤロック切断センサ２８は、スロットマシン機３の扉５の不正な開を感知する不正検出装置である。扉５は、スロットマシン機３本体とワイヤ３０で接続され、扉５のロック時にはワイヤ３０はワイヤロック２９にてロックされて開かず、ロックが解除されればワイヤ３０が引っ張り出され、開く。ここで、ワイヤ３０が不正に切断された場合に、ワイヤロック切断センサ２９が不正行為を検出する。
【００２１】
尚、ここで説明した不正検出装置は適宜設置場所を変更することが可能である。また不正検出装置は扉センサ２３、電波センサ２５、振動センサ２７、ワイヤロック切断センサ２８の限りではない。
リモコン１９は、マルチボックス１７の設定操作等を行うものである。
【００２２】
図２に示すように、マルチボックス１７は、ケーブル２１を介して基板１１と接続され、基板１１からスロットマシン機３のメダル情報等に関する情報を受信する。また、マルチボックス１７は、ケーブル３１を介して扉センサ２３に接続され、扉の不正開放等の検出時にセンサから出力される不正信号を受信する。
【００２３】
マルチボックス１７は、ケーブル３３を介して電波センサ２５と接続され、電波を用いた不正行為の検出時にセンサから出力される不正信号を受信する。またマルチボックス１７は、ケーブル３５を介して振動センサ２５と接続され、不正行為の検出時にセンサから出力される不正信号を受信する。また、マルチボックス１７は、ワイヤロック切断センサ２８から出力される不正信号を受信する。
【００２４】
表示装置２には表示部４１と表示制御版４３等が設けられる。表示部４１は、電飾ランプ、発光ダイオード、液晶パネル等を用いた表示手段である。表示制御基板４３は表示部４１の表示の制御を行う。
【００２５】
マルチボックス１７は、ケーブル４９を介して表示装置２の表示制御基板４３に接続され、ケーブル５０を介してセンターコンピュータ４５に接続され、表示制御基板４３やセンターコンピュータ４５に信号を出力する。
【００２６】
このように、マルチボックス１７は、基板１１からの情報と、扉センサ２３、電波センサ２５、磁気センサ２７、ワイヤロック切断センサ２８といった複数の不正検出装置からの不正信号とを受信し、表示装置２やセンターコンピュータ４５に出力する。つまり複数の不正検出装置がそれぞれ違うメーカの製品であっても、それらの信号を受信し、出力することが可能である。
【００２７】
このように、マルチボックス１７が不正検出装置の機種やメーカに依存することなく、不正信号を受信して、信号を出力するためには、マルチボックス１７に対する設定プログラムの作動、設定操作が必要となる。
【００２８】
以下に、マルチボックス１７の設定及び動作について詳細に説明する。図３は、マルチボックス１７の概略構成図を示す。図４はマルチボックス１７の外観の一例を示す図である。図５はリモコン１９の概略構成図を示す。
【００２９】
図３において不正検出装置５５−１〜５５−５は、図１における扉センサ２３、電波センサ２５、振動センサ２７、ワイヤロック切断センサ２８等に相当する。この他にも、不正検出装置５５として、体感機センサ、磁気センサ（遊技機がパチンコ機である場合）などがあげられる。図３に示すように、マルチボックス１７は、マイコンチップ６１、受光素子５１、表示部５３等からなる。
【００３０】
マイコンチップ６１は、CPU、ROM、RAM、I/O等を含み、不正検出装置５５−１〜５５−５の出力信号を入力(不正入力６３−１〜６３−５)とし、それを表示装置２で表示可能な入力信号となる出力（不正出力６５−１〜６５−５）として出力するプログラムを有する。このプログラムは、マイコンチップ６１のROMに格納されており、マルチボックス１７の設置者が、マルチボックス１７をスロットマシン機３に設置する際に起動する。ここで、不正入力６３や不正出力６５に関する設定はリモコン１９によって行われる。
【００３１】
図４はマルチボックス１７の外観の一例を示す図である。マルチボックス１７は、スロットマシン機３の幕板部等に取り付けられ、受講素子５１と数字やアルファベット等の文字を７つのセグメントを用いて表示する表示部５３を備える。また、マルチボックス１７の左側面には、不正検出装置５５−１〜５５−５からの不正信号を不正入力６３−１〜６３−５として入力するケーブルを接続するためのコネクタ、右側面には、不正出力６５−１〜６５−５を出力信号として出力するためのケーブルを接続するためのコネクタを備える。それらの不正出力のうち、例えば、不正出力６５−１、６５−２、６５−３はセンターコンピュータ４５に、不正出力６５−４、６５−５は表示装置２の表示制御基板４３に送信される。
【００３２】
マルチボックス１７には受光素子５１、表示部５３が設けられる。リモコン１９は、赤外線等の無線通信によりプログラムの設定値等の設定情報を送信する。設定情報は受光素子５１によって受信され、表示部５３に現在の設定値等が表示される。
【００３３】
リモコン２３は、例えば、図５に示すように、CPUおよびメモリからなる制御部９１、赤外線信号等を出力する送信部９５、および、０から９の数字等からなるボタン９３からなる。
【００３４】
設置者は、プログラムの設定値等をボタン９３で入力し、送信部９５は、制御部９１の制御により、その設定項目の番号や設定値等を送信する。
【００３５】
図６は不正入力、不正出力のモードの設定に関するプログラムの設定仕様の一例を示す図である。図６に示すように、設定内容７１に対してそれぞれ項目７３(番号) が決まっており、リモコン１９を操作することで、項目７３とその設定値７５を入力することでマルチボックス１７の設定を行う。これらの設定値はマルチボックス１７のマイコンチップ６１に保持され、プログラムに反映される。
【００３６】
図６において、機種設定８１は、項目７３として「０」が対応しており、その項目７３の設定値を「０」とすると、マルチボックス１７がパチンコ機の基板から信号を受信する信号処理装置としての設定受信モードに、「１」とするとスロットマシン機３の基板１１から信号を受信する信号処理装置としての設定受信モードに、「２」とすると、不正検出装置５５から信号を受信する信号処理装置としての不正検出対応の設定受信モードとなる。
【００３７】
図６に示す８３部、すなわち項目「２」から項目「６」は不正入力６３−１〜６３−５の受信状態の設定である。例えば、項目「２」の設定値を「０」とすると、「禁止しない」、即ち、不正入力６３−１の入力を受付け、一度信号を受け付けるとリセット信号を受信しない限り、不正を解除しないという設定となる。また項目「２」の設定値を「１」とすると、「禁止」、即ち、不正入力６３−１の入力を受付けない設定となる。また、項目「２」の設定値を「２」とすると、「禁止しない(保持なし)」、即ち、不正入力６３−１の入力を受付けるが、入力信号が切れた時点で不正が解除される設定となる。
項目「３」から項目「６」、即ち不正入力６３−２〜６３−５についても同様の設定が可能である。
【００３８】
図６に示す８５部、即ち項目「２２」から項目「２６」は不正入力６３−１〜６３−５の入力状態の切り替えの設定を行う項目である。例えば、項目「２２」の設定値を「０」とすると、不正入力６３−１は「ノーマルオープン」接続、即ち、通常はオフ「０」の状態であり、不正入力６３−１に「１」が入力してオン「１」状態になることを設定するものである。逆に、項目「２２」の設定値を「１」とすると、不正入力６３−１は「ノーマルクローズ」接続、即ち、通常はオン「１」の状態であり、不正入力６３−１に「１」が入力してオフ「０」状態になることを設定するものである。
項目「２３」から項目「２６」、即ち不正入力６３−２〜６３−５についても同様の設定が可能である。
【００３９】
次に、図６に示す８７部、即ち項目「２７」から項目「３１」は不正出力に関する設定である。項目２７」から項目「３１」の設定値は、「０」から「８」までの９通りの出力系統の割り当てが選択可能であり、不正入力６３−１〜不正入力６３−５を、不正出力６５−１〜不正出力６５−５のうちのどの出力端子に不正出力させるかを割り当てるものである。
【００４０】
例えば、項目「２７」が「０」であれば「ノーマル」、即ち、不正出力６５−１に出力し、表示部５３に「Ｆ１」を表示する。項目「２７」が「８」であれば、不正出力６５−５に出力信号を出力し、図２に示す表示部５３にエラー出力として「Ｆ１」を出力する。項目「２７」の設定値「０」から「８」は不正出力６５−１〜６５−５のうちどのように割り当てられるか、その組み合わせによって９通りの表現が可能であることを示す。例えば、項目「２７」の設定値が「２」であるときは、「１、２、３出力」を意味し、これは不正入力６３−１からの情報を、不正出力６５−１，６５−２、６５−３に不正出力が割り当てられて出力されたときに、表示部５３に「Ｆ１」を表示させることになる。
【００４１】
上記の入力、出力の設定を利用して、例えば、不正入力６３−１に不正信号が入力した場合Ｆ１エラー表示、不正入力６３−２に不正信号が入力した場合Ｆ２エラー表示、不正入力６３−３に不正信号が入力した場合Ｆ３エラー表示、不正入力６３−４に不正信号が入力した場合Ｆ４エラー表示、不正入力６３−５に不正信号が入力した場合Ｆ５エラー表示、と設定することにより、出力の結果から不正検出装置５５−１〜５５−５の内、どの装置で異常が検出されたか、即ち、不正が行われた場所を検出することが容易となる。
【００４２】
また、上記以外の項目も適宜設定が可能であり、表示の方法等も設定可能である。例えば、Ｆ１とＦ２に異常があった場合に両者を交互に点滅表示させるといった設定も容易に可能となる。また、表示の順番等も変更可能である。
このように、マルチボックス１７は不正入力６３−１〜６３−５を受信し、指定された出力端子に不正出力を出力し、さらに不正検出装置５５−１〜５５−５の内どの装置で異常が検出されたかという不正に関する情報を表示部５３に表示する。
【００４３】
次に、リモコン１９を用いた設定操作について説明する。いま、リモコン１９からマルチボックス１７に対して「不正入力６３−１〜６３−５の出力を不正出力６５−１に出力させる、このとき不正入力６３−２はノーマルクローズ接続する」という設定を行う場合の処理を例に説明する。図７はこの設定に対するマルチボックス１７の設定操作を示すフローチャートである。設定は、設定者がリモコン１９のボタン９３等の操作することによって行われる。
【００４４】
マルチボックス１７に対して、リモコン１９のボタン９３操作の入力を受け付ける状態とする（ステップ１０１）。例えば、特定のボタンを所定の時間押し続けるなどして入力受付状態とする。マルチボックス１７に対して不正検出対応モードの設定であることを送信、つまり、項目「０」に設定値「２」を設定する（ステップ１０２）。
【００４５】
次に、入力端子の設定、即ち、項目「２」〜「６」に設定値「０」を設定する（ステップ１０３）。この操作により、「不正入力６３−１〜６３−５の入力を受け付ける」ことが設定される。
【００４６】
次に、入力信号の切替について設定を行う。設定項目「２３」を設定値「１」として、項目「２２」と項目「２４」〜「２６」を設定値「０」と設定する。この操作により、「不正入力６３−２はノーマルクローズ接続である」という設定が行われる。
【００４７】
次に、出力端子の設定を行う。設定項目「２７」の設定値を「０」に、設定項目「２８」〜「３１」の設定値を「５」に設定する（ステップ１０５）。この操作により「不正入力６３−１〜６３−５に入力された不正入力を不正出力６５−１に割り当てて出力させる」という設定が行われる。そして、リモコン１９の特定のボタンを所定の時間押し続けるなどして、設定終了の信号をマルチボックス１７に送信する。
【００４８】
以上説明した設定操作により設定された設定値は、マイコンチップ６１に保持され、不正検出を表示装置２に表示させるプログラムとして動作する。例えば、入力６３−３に不正入力があった場合、マイコンチップ６１は不正出力６５−１から出力し、表示部５３には「Ｆ１」が表示される。
【００４９】
尚、本発明は、前述した実施の形態に限定されるものではなく、種々の改変が可能であり、それらも、本発明の技術範囲に含まれる。例えば、スロットマシン機だけでなく、種々の遊技機に本発明のマルチボックスを適用することが可能である。
【産業上の利用可能性】
【００５０】
本発明の信号処理装置は、遊技機に設置された少なくとも１以上の不正検出装置に接続され、不正検出装置の機種によらず、それらが出力する不正信号を不正入力として受信し、不正が行われたことを表示、出力させることが可能となる。
【図面の簡単な説明】
【００５１】
【図１】本発明の実施の形態にかかるスロットマシン３の構成を示す斜視図
【図２】マルチボックス１７と表示装置２との関係を示す図
【図３】マルチボックス１７の構成図
【図４】マルチボックス１７の外観を示す図
【図５】リモコン１９の構成図
【図６】マルチボックス１７の設定プログラムの設定値の一例を示す図
【図７】マルチボックス１７の設定処理の一例を示すフローチャート
【符号の説明】
【００５２】
２………表示装置
３………スロットマシン機
１１………基板
１７………マルチボックス
１９………リモコン
２３………扉センサ
２５………電波センサ
２７………振動センサ
２８………ワイヤロック切断センサ
【図１】
2006020931.tif 000003
【図２】
2006020931.tif 000004
【図３】
2006020931.tif 000005
【図４】
2006020931.tif 000006
【図５】
2006020931.tif 000007
【図６】
2006020931.tif 000008
【図７】
2006020931.tif 000009